(57)【要約】【課題】車両から電力網、特に供給余力が逼迫している電力網への放電を促し、電力網を跨いだピークシフトへの貢献が促進される電力融通システムを提供する。【解決手段】供給余力が逼迫している電力網１２は、これを示す電力逼迫情報と、逼迫時における電力の買取価格を示す価格情報を管理サーバ１４を有するシステム管理会社１５へ送信する。システム管理会社１５は、電力網１２から電力逼迫情報および価格情報を取得すると、これを車両１３へ送信する。車両１３のユーザは、送信された情報に含まれる通常よりも高い買取価格である価格情報を参考に、供給余力が逼迫している電力網１２へ移動して車両１３から電力網１２へ放電する。これにより、車両１３によるピークシフトへの貢献が促進される。【選択図】図１
2017118604.tif 000002
【特許請求の範囲】
【請求項１】
充放電装置を有する複数の電力網と、
複数の前記電力網の間を相互に移動可能であって、前記充放電装置を通して前記電力網から充電、または前記充放電装置を通して前記電力網へ放電する蓄電手段を備える車両と、
複数の前記電力網、前記充放電装置および前記車両と通信可能に接続される管理サーバとを備える電力融通システムであって、
前記管理サーバに設けられ、複数の前記電力網のいずれかで電力の供給余力が逼迫しているとき、前記電力網のうち供給余力が逼迫している逼迫電力網から供給余力が逼迫していることを示す電力逼迫情報、および前記逼迫電力網において前記車両が電力を放電する際に前記逼迫電力網が買い取る価格であって非逼迫時における買取価格よりも高い逼迫時買取価格を示す価格情報を取得する情報取得手段と、
前記管理サーバに設けられ、前記情報取得手段で前記逼迫電力網から前記電力逼迫情報および前記価格情報を取得すると、前記逼迫電力網において電力の供給余力が逼迫していることを示す広告情報、および前記価格情報を、前記車両へ送信する送信手段と、
前記電力網または前記管理サーバの少なくともいずれか一方に設けられ、前記送信手段から送信された前記広告情報および前記価格情報を取得した前記車両が前記逼迫電力網において前記蓄電手段から前記充放電装置へ放電したとき、前記蓄電手段から前記充放電装置を通して前記逼迫電力網へ放電された放電電力量を取得する電力量取得手段と、
を備える電力融通システム。
【請求項２】
前記管理サーバは、前記電力量取得手段で取得した前記放電電力量および前記逼迫時買取価格に基づいて前記逼迫電力網から前記車両へ支払う支払価格を算出し、前記逼迫電力網および前記車両へ前記支払価格を含む決済情報を送信する請求項１記載の電力融通システム。
【発明の詳細な説明】
【技術分野】
【０００１】
本発明は、電力融通システムを提供することにある。
【背景技術】
【０００２】
発電所および送電線を有する電力網は、季節や時間帯によって消費される電力に大きなばらつきが含まれている。例えば、夏季の場合、昼間の時間帯に比べ夜間は、消費電力が著しく低下する。このように消費電力に大きなばらつきが生じるため、電力網を管理する管理会社は、一時的に生じる最大の消費電力にあわせた発電所や送電線の整備が求められる。その結果、消費電力が大きくない季節や時間帯には過剰な設備を維持することとなり、維持管理コストの増大、およびこれにともなう電気料金の上昇を招くという問題がある。そこで、消費電力の平準化を目的とするピークシフトが提案されている。このピークシフトでは、例えば揚水式発電所のように、発電所の余力が大きな夜間に電力を蓄え、消費電力が増大する昼間に蓄えた電力を放出することにより、消費電力の平準化を狙っている。また、近年では、電気を動力源とする車両の増加にともない、夜間電力を利用して車両に電気を蓄えることによるピークシフトへの貢献も検討されている。このように電気を動力源とする車両の増加にともない、車両で電力を購入するための充電装置の整備が進んでいる。これにより、車両のユーザは、必要に応じて所望の場所で車両への充電が行えるようになっている。
【０００３】
しかしながら、車両で余剰となった電力を電力網へ放電し、車両のユーザが電力網から報酬を得る仕組みは不十分である。すなわち、蓄電手段に電力を蓄えている車両は、蓄えた電力を放電することができる。そのため、電力の需要が大きな時間帯に車両の蓄電手段に蓄えた電気を放電することにより、ピークシフトのさらなる促進が図られる。ところが、放電による車両のユーザへの報酬を精算するシステムが整備されていないため、ユーザによる積極的な放電を促す動機が得られず、ピークシフトへの貢献が進まないという問題がある。
【先行技術文献】
【特許文献】
【０００４】
【特許文献１】国際公開ＷＯ２０１１／１１５１８２号公報
【発明の概要】
【発明が解決しようとする課題】
【０００５】
そこで、本発明の目的は、車両から電力網、特に供給余力が逼迫している電力網への放電を促し、電力網を跨いだピークシフトへの貢献が促進される電力融通システムを提供することにある。
【課題を解決するための手段】
【０００６】
請求項１記載の発明では、管理サーバは、電力の供給余力が逼迫している逼迫電力網から、供給余力が逼迫していることを示す電力逼迫情報に加え、逼迫時の電力の買取価格を示す価格情報を取得する。管理サーバは、この電力逼迫情報および価格情報を取得すると、車両へ逼迫電力網で電力が逼迫していることを示す広告情報および価格情報を送信する。この広告情報および価格情報を受信した車両のユーザは、広告情報および価格情報を利用して逼迫電力網への電力の放電を検討する。ここで、価格情報に含まれる逼迫時買取価格は、非逼迫時における買取価格よりも高く設定されている。そして、車両の特性として、電力網を跨いで任意に移動可能である。そのため、車両のユーザには、複数の電力網のうち、供給余力の逼迫度が高く、買取価格の高い逼迫電力網へ車両を移動して、この逼迫電力網の充放電装置から電力を放電するという動機付けが作用する。すなわち、車両のユーザは、売買契約を結んでいる管轄の電力網だけでなく、車両で移動可能な電力網も含めて放電する対象を選択する。これにより、車両のユーザにとっては、より買取価格が高い電力網へ放電するという動機が生じる。すなわち、より供給余力の逼迫度が高い電力網における放電が促される。また、電力網としては、供給余力の逼迫度が高くなるほど逼迫時買取価格を高く設定することにより、車両のユーザによる放電が促される。そのため、発電所や送電線といった設備への投資は低減が図られる。したがって、車両から供給余力が逼迫している電力網への放電が促され、電力網を跨いだピークシフトへの貢献を促進することができる。
【０００７】
請求項２記載の発明では、管理サーバは、車両から逼迫電力網への放電電力量および逼迫時買取価格から逼迫電力網から車両へ支払う支払価格を算出する。車両は、逼迫電力網に限らず、通常時も含めて複数の電力網との間で充電による電力の購入、および放電による電力の売却を行なっている。管理サーバは、これらの電力の購入および売却に、逼迫時における支払価格を加えることにより、決済情報を作成して逼迫電力網および車両へ送信する。したがって、逼迫電力網で放電した際の買取価格も含めて容易に精算することができる。
【図面の簡単な説明】
【０００８】
【図１】一実施形態による電力融通システムの全体構成を示す模式図
【図２】一実施形態による電力融通システムの電力網を示すブロック図
【図３】一実施形態による電力融通システムの電力網を示すブロック図
【図４】一実施形態による電力融通システムの車両を示すブロック図
【図５】一実施形態による電力融通システムのシステム管理会社を示すブロック図
【図６】一実施形態による電力融通システムにおいて電力網管理会社による電力逼迫時における処理の流れを示す概略図
【図７】一実施形態による電力融通システムにおいて電力網管理会社から情報を受け取ったシステム管理会社における処理の流れを示す概略図
【図８】一実施形態による電力融通システムにおいてシステム管理会社から情報を受け取った電力網管理会社における処理の流れを示す概略図
【図９】一実施形態による電力融通システムにおいてシステム管理会社から情報を受け取った車両における処理の流れを示す概略図
【図１０】一実施形態による電力融通システムにおいて放電時における車両および電力網の充放電装置の処理の流れを示す概略図
【図１１】一実施形態による電力融通システムにおいて放電時における電力網管理会社およびシステム管理会社の処理の流れを示す概略図
【図１２】一実施形態による電力融通システムにおいて充電時における車両および電力網の充放電装置の処理の流れを示す概略図
【図１３】一実施形態による電力融通システムにおいて充電時における電力網管理会社およびシステム管理会社の処理の流れを示す概略図
【図１４】一実施形態による電力融通システムにおいて精算の処理の流れを示す概略図
【発明を実施するための形態】
【０００９】
以下、電力融通システムの実施形態を図面に基づいて説明する。
（システムの全体構成）
まず、図１を用いて電力融通システム１０の全体構成について説明する。
電力融通システム１０は、複数の電力網１１、１２、車両１３、および管理サーバ１４を有するシステム管理会社１５の大きく３つの構成を備えている。電力網１１および電力網１２は、それぞれ発電所１６および送電線１７などで構成されている。このように電力網１１および電力網１２は、発電所１６および送電線１７の系統ごとに設定されている。本実施形態では、説明の簡単のため、電力融通システム１０は２つの電力網１１、１２を備える例について説明する。電力網１１は、充放電装置１８を有している。充放電装置１８は、電力網１１に１つに限らず複数設けられている。同様に、電力網１２は、充放電装置１９を有している。充放電装置１９も、電力網１２に１つに限らず複数設けられている。充放電装置１８および充放電装置１９は、車両１３へ電力を充電するとともに、車両１３からの電力の放電を受け付ける。
【００１０】
電力網１１は、電力網管理会社２１によって管理されている。同様に電力網１２は、電力網管理会社２２によって管理されている。電力網管理会社２１および電力網管理会社２２は、一般的には電力会社に相当する。ここで、電力網１１を管理する電力網管理会社２１と電力網１２を管理する電力網管理会社２２とは、異なっていても同一であってもよい。例えば同一の電力会社であっても、発電および送電の系統の異なる複数の電力網を有している。そのため、２つの電力網１１と電力網１２とは、必ずしも異なる電力網管理会社に限らず、同一の電力網管理会社が管理する場合も考えられる。
【００１１】
車両１３は、この電力網１１と電力網１２との間を自由に移動することができる。管理サーバ１４は、システム管理会社１５に設けられている。システム管理会社１５は、本実施形態の電力融通システム１０の全体を管理する。具体的には、システム管理会社１５は、電力網１１を管理する電力網管理会社２１および電力網１２を管理する電力網管理会社２２と、車両１３との間の電力の充電または放電の際の金銭的な精算を管理する。そのため、システム管理会社１５は、電力網管理会社２１、電力網管理会社２２および車両１３との間で相互に通信可能である。この場合、システム管理会社１５と電力網管理会社２１、電力網管理会社２２および車両１３との通信方法は、例えば電話回線やインターネットを用いた有線、無線ＬＡＮや近距離無線通信を用いた無線など、通信という機能を実現できる範囲で任意に選択することができる。
【００１２】
次に、電力網管理会社２１、電力網管理会社２２、車両１３およびシステム管理会社１５を個別に説明する。
（電力網管理会社）
電力網管理会社２１は、上述のように発電所１６、送電線１７および充放電装置１８を有する電力網１１を管理している。充放電装置１８は、電力網１１が構築されている地区に複数設けられている。また、充放電装置１８は、車両１３を所有するユーザの自宅２３に設けてもよい。充放電装置１８は、図２に示すように充放電部３１、記憶部３２、通信部３３および制御部３４を有している。充放電部３１は、車両１３に接続される。充放電部３１は、電力網１１または電力網１２から車両１３へ充電される充電量、および車両１３から電力網１１または電力網１２へ放電される放電量を検出する。記憶部３２は、例えばＨＤＤ（Hard Disk Drive）や不揮発性のメモリなどの記憶媒体で構成されている。記憶部３２は、各種の電子データを記憶する。通信部３３は、車両１３、電力網管理会社２１、および電力網管理会社２１を通してシステム管理会社１５と通信する。制御部３４は、図示しないＣＰＵ、ＲＯＭおよびＲＡＭを有するマイクロコンピュータやパーソナルコンピュータで構成されている。制御部３４は、充放電部３１、記憶部３２および通信部３３など、充放電装置１８の全体を管理する。
【００１３】
電力網管理会社２１は、制御部３５、通信部３６および記憶部３７を有している。制御部３５は、図示しないＣＰＵ、ＲＯＭおよびＲＡＭを有するマイクロコンピュータやパーソナルコンピュータで構成されている。通信部３３は、充放電装置１８およびシステム管理会社１５と通信可能に接続されている。また、電力網管理会社２１は、通信部３６を経由して電力網１１を構成する発電所１６などとも通信可能に接続されている。電力網管理会社２１の制御部３５は、これら電力網１１の全体を管理する。これとともに、電力網管理会社２１は、システム管理会社１５から送信される情報を受信し、システム管理会社１５へ必要な情報を送信する。また、電力網管理会社２１は、充放電装置１８から車両１３との間で行なわれた充電に関する情報、放電に関する情報などを取得する。記憶部３７は、ＨＤＤや不揮発性メモリなどの記憶媒体で構成されており、各種の電子データを記憶する。
【００１４】
（電力網管理会社）
電力網管理会社２２は、電力網管理会社２１と実質的に同様の構成である。すなわち、電力網管理会社２２は、発電所１６、送電線１７および充放電装置１９を有する電力網１２を管理している。充放電装置１９は、図３に示すように充放電部４１、記憶部４２、通信部４３および制御部４４を有している。これら、充放電部４１、記憶部４２、通信部４３および制御部４４の構成は、充放電装置１８と同様である。電力網管理会社２２は、制御部４５、通信部４６および記憶部４７を有している。制御部４５および通信部４６の構成は、電力網管理会社２１と同様である。電力網管理会社２２は、通信部４６を経由して電力網１２を構成する発電所１６などとも通信可能に接続されている。電力網管理会社２２の制御部４５は、これら電力網１２の全体を管理する。記憶部４７は、ＨＤＤや不揮発性メモリなどの記憶媒体で構成されており、各種の電子データを記憶する。その他、電力網管理会社２２の構成および機能は、電力網管理会社と同一であるので説明を省略する。
【００１５】
（車両）
車両１３は、図４に示すように蓄電手段としてバッテリ５１、駆動部５２、記憶部５３、通信部５４、表示部５５および制御部５６を有している。車両１３は、純粋にバッテリ５１に蓄えられた電力のみで駆動される電気自動車、図示しないエンジンの駆動力と電力とを併用するハイブリッド自動車などを用いることができる。バッテリ５１は、充放電装置１８または充放電装置１９に接続される。バッテリ５１は、充電により電力網１１または電力網１２から供給される電力を蓄えるとともに、放電により電力網１１または電力網１２へ電力を提供する。バッテリ５１は、例えばリチウムイオン電池やニッケル水素電池などの二次電池や大容量のキャパシタなどで構成されている。
【００１６】
駆動部５２は、バッテリ５１に蓄えられた電力を用いて車両１３を駆動する。駆動部５２は、車両１３を制動するとき、回生によって電力を発生する。回生により駆動部５２で発生した電力は、バッテリ５１に蓄えられる。記憶部５３は、ＨＤＤや不揮発性メモリなどの記憶媒体で構成されている。記憶部５３は、各種の電子データを記憶する。通信部５４は、電力網管理会社２１の充放電装置１８、電力網管理会社２２の充放電装置１９、システム管理会社１５と通信する。表示部５５は、各種の情報を可視的に表示する。一般的な車両１３の場合、表示部５５は、車両１３に設けられたナビゲーション装置のディスプレイに相当する。制御部５６は、図示しないＣＰＵ、ＲＯＭおよびＲＡＭを有するマイクロコンピュータで構成されている。制御部５６は、バッテリ５１、駆動部５２、記憶部５３、通信部５４および表示部５５など、車両１３の全体を管理する。
【００１７】
（システム管理会社）
システム管理会社１５は、図５に示すように複数の電力網１１、電力網１２および車両１３と通信可能に接続している。すなわち、システム管理会社１５は、電力網１１の電力網管理会社２１、電力網１２の電力網管理会社２２、および車両１３と接続している。システム管理会社１５は、管理サーバ１４を備えている。管理サーバ１４は、記憶部６１、通信部６２および制御部６３を有している。記憶部６１は、ＨＤＤや不揮発性メモリなどの記憶媒体で構成されている。記憶部６１は、各種の電子データを記憶する。通信部６２は、電力網管理会社２１、電力網管理会社２２、車両１３と通信する。通信部６２は、送信手段に相当する。制御部６３は、図示しないＣＰＵ、ＲＯＭおよびＲＡＭを有するパーソナルコンピュータや大規模コンピュータで構成されている。制御部６３は、記憶部６１および通信部６２など、管理サーバ１４の全体を管理する。
【００１８】
制御部６３は、コンピュータプログラムを実行することにより、情報取得部６４、送信情報作成部６５、電力量取得部６６および決済情報作成部６７をソフトウェア的に実現している。これら、情報取得部６４、送信情報作成部６５、電力量取得部６６および決済情報作成部６７は、ソフトウェア的に限らず、ハードウェア的、またはソフトウェアとハードウェアとの組み合わせによって実現してもよい。
情報取得部６４は、電力網１１または電力網１２から電力逼迫情報および価格情報を取得する。電力網１１および電力網１２は、例えば季節や時間帯、あるいは発電所１６の稼働状況などによって、送電可能な電力の供給余力が増減する。以下、本明細書では、電力網１２において電力の供給余力が逼迫しているとして説明する。
【００１９】
この電力網１２において電力の供給余力が逼迫している場合、電力網１２は逼迫電力網に相当する。この逼迫電力網を管理する電力網管理会社２２は、電力網１２において電力の供給余力が逼迫しているとき、供給余力が逼迫していることを示す「電力逼迫情報」をシステム管理会社１５へ送信する。また、このとき、逼迫電力網を管理する電力網管理会社２２は、「電力逼迫情報」に加えて、「価格情報」をシステム管理会社１５へ送信する。情報取得部６４は、この逼迫電力網を管理する電力網管理会社２２から「電力逼迫情報」および「価格情報」を取得する。
【００２０】
「価格情報」は、逼迫電力網を管理する電力網管理会社２２が車両１３からの放電によって電力を買い取る際の「逼迫時買取価格」を示している。逼迫電力網を管理する電力網管理会社２２は、電力の供給余力が逼迫しているとき、供給余力が逼迫していない非逼迫時における通常の買取価格に、割増価格を上乗せした「逼迫時買取価格」を設定する。これにより、逼迫電力網を管理する電力網管理会社２２は、車両１３のユーザに逼迫電力網である電力網１２における電力の放電を促す動機付けとする。すなわち、逼迫電力網を管理する電力網管理会社２２は、通常の買取価格よりも高い「逼迫時買取価格」を車両１３のユーザに提示することにより、車両１３のユーザへ逼迫電力網である電力網１２における電力の放電を促している。「逼迫時買取価格」は、例えば１ｋＷｈあたりなどのように、単位電力量あたりの価格として設定されている。
【００２１】
送信情報作成部６５は、情報取得部６４で逼迫電力網を管理する電力網管理会社２２から「電力逼迫情報」を取得すると、「送信情報」を作成する。送信情報作成部６５で作成された「送信情報」は、通信部６２から車両１３へ送信される。「送信情報」は、「広告情報」および「価格情報」を含んでいる。「広告情報」は、逼迫電力網である電力網１２において電力の供給余力が逼迫していることを示す広告に関する情報である。「価格情報」は、上述の「逼迫時買取価格」を示す情報である。このように、送信情報作成部６５は、「電力逼迫情報」を取得すると、「広告情報」および「価格情報」からなる「送信情報」を作成する。そして、通信部６２は、送信情報作成部６５で作成された「送信情報」を車両１３へ送信する。
【００２２】
電力量取得部６６は、逼迫電力網である電力網１２において、車両１３のバッテリ５１から充放電装置１９を通して電力網１２へ放電された「放電電力量」を取得する。車両１３のユーザは、システム管理会社１５から「送信情報」に含まれる「広告情報」および「価格情報」を取得する。このとき、車両１３のユーザは、「広告情報」および「価格情報」を参考に、逼迫電力網である電力網１２への放電をするか否かを判断する。そして、車両１３のユーザは、逼迫電力網である電力網１２での放電を決定する。そうすると、車両１３は、逼迫電力網である電力網１２へ移動し、電力網１２の充放電装置１９を通してバッテリ５１に蓄えられた電力を電力網１２へ放電する。このとき、電力量取得部６６は、この車両１３のバッテリ５１から充放電装置１９を通して逼迫電力網である電力網１２へ放電された電力量を「放電電力量」として取得する。ここで、電力量取得部６６は、システム管理会社１５の管理サーバ１４だけでなく、電力網１１を管理する電力網管理会社２１および電力網１２を管理する電力網管理会社２２に設けてもよい。このように、電力量取得部６６をシステム管理会社１５、電力網管理会社２１および電力網管理会社２２に設ける場合、放電量が齟齬なく管理される。
【００２３】
決済情報作成部６７は、電力網管理会社２１、電力網管理会社２２および車両１３へ「決済情報」を作成する。作成された「決済情報」は、管理サーバ１４の通信部６２から電力網管理会社２１、電力網管理会社２２および車両１３へ送信される。「決済情報」は、「支払価格」を含んでいる。「支払価格」は、電力量取得部６６で取得した「放電電力量」および「逼迫時買取価格」などに基づいて、逼迫電力網を管理する電力網管理会社２２から車両１３へ支払う金銭の価格である。ここで、車両１３は、逼迫電力網において逼迫時の放電だけでなく、通常時の放電、さらにはバッテリ５１への充電にともなって電力を購入していることも考えられる。そこで、決済情報作成部６７は、「支払価格」に、これら通常時の放電による価格、および電力の充電による価格などを精算し、「決済情報」を作成する。そして、作成された「決済情報」は、管理サーバ１４の通信部６２から電力網管理会社２１、電力網管理会社２２および車両１３へ送信される。
【００２４】
次に、上記の構成による電力融通システムによる処理の流れについて詳細に説明する。
＜逼迫電力網の広告＞
まず、逼迫電力網によるシステム管理会社および車両への広告の通知の流れについて図６〜図９を用いて説明する。
（１．電力逼迫情報および価格情報の送信）
逼迫電力網を管理する電力網管理会社２２が「電力逼迫情報」および「価格情報」を送信する処理について図６に基づいて説明する。
電力網１２を管理する電力網管理会社２２は、電力の供給余力が逼迫したか否かを判断する（Ｓ１０１）。電力網管理会社２２は、供給余力が逼迫していないと判断すると（Ｓ１０１：Ｎｏ）、Ｓ１０１において供給余力の監視を継続する。一方、電力網管理会社２２は、供給余力が逼迫した状態であると判断すると（Ｓ１０１：Ｙｅｓ）、システム管理会社１５へ「電力逼迫情報」を送信する（Ｓ１０２）。
【００２５】
これとともに、電力網管理会社２２は、システム管理会社１５へ「価格情報」を送信する（Ｓ１０３）。逼迫電力網である電力網１２を管理する電力網管理会社２２は、供給余力が逼迫すると、Ｓ１０２における「電力逼迫情報」とともに、Ｓ１０３における「価格情報」をシステム管理会社１５へ送信する。ここで、電力網管理会社２２は、「価格情報」として、電力の供給余力が逼迫していない非逼迫時における通常の放電時における買取価格に割増価格を加えて「逼迫時買取価格」を設定し、この「逼迫時買取価格」を「価格情報」としてシステム管理会社１５へ送信する。電力網管理会社２２は、例えば電力の供給余力の逼迫度合いに応じて、「逼迫時買取価格」を設定する。すなわち、「逼迫時買取価格」は、一定に設定するだけでなく、逼迫度が高まるにつれて上昇するように設定してもよい。
【００２６】
（２．電力逼迫情報および価格情報の受信、送信情報の送信）
逼迫電力網である電力網１２を管理する電力網管理会社２２から「電力逼迫情報」および「価格情報」を受信したシステム管理会社１５における処理の流れを図７に基づいて説明する。
【００２７】
システム管理会社１５は、図６におけるＳ１０２において送信された「電力逼迫情報」、およびＳ１０２で送信された「価格情報」を受信する（Ｓ２０１）。すなわち、システム管理会社１５の情報取得部６４は、逼迫電力網である電力網１２を管理する電力網管理会社２２から「電力逼迫情報」および「価格情報」を取得する。システム管理会社１５は、Ｓ２０１で受信した「電力逼迫情報」および「価格情報」を記憶部６１に記憶する（Ｓ２０２）。
システム管理会社１５の送信情報作成部６５は、Ｓ２０１で取得し、Ｓ２０２で記憶した「電力逼迫情報」および「価格情報」から「送信情報」を作成する（Ｓ２０３）。「送信情報」は、逼迫電力網において電力の供給余力が逼迫していることを示す「広告情報」、および逼迫電力網を管理する電力網管理会社２２から送信された「価格情報」を含んでいる。
【００２８】
システム管理会社１５の通信部６２は、送信情報作成部６５で作成された「送信情報」を、電力網管理会社２１および電力網管理会社２２に送信する（Ｓ２０４）。ここで、通信部６２は、「送信情報」を、「電力逼迫情報」を送信した電力網管理会社２２だけでなく、他の電力網管理会社２１にも送信し、「送信情報」を電力網管理会社２１および電力網管理会社２２の相互間で共有するために展開する。このように、システム管理会社１５は、「送信情報」を、「電力逼迫情報」を送信した電力網管理会社２２だけでなく、電力の逼迫していない電力網１１を管理する電力網管理会社２１にも展開する。これにより、逼迫していない電力網管理会社２１は、電力網管理会社２２の逼迫度合い、電力網管理会社２２が設定する「価格情報」などを知ることができ、自社の「逼迫時買取価格」の設定の参考にすることができる。また、「送信情報」を共有することにより、電力網管理会社２１と電力網管理会社２２との間で「価格情報」を管理することができ、不当な価格設定や精算を監視することができる。
さらに、システム管理会社１５の通信部６２は、送信情報作成部６５で作成された「送信情報」を、車両１３にも送信する（Ｓ２０５）。
【００２９】
（３．電力網管理会社における送信情報の受信）
システム管理会社１５から展開された「送信情報」を受信した電力網管理会社２１および電力網管理会社２２における処理の流れを図８に基づいて説明する。ここで、電力網管理会社は、逼迫電力網を管理する電力網管理会社２２だけでなく、その他の電力網管理会社２１も含まれる。この欄では、電力網管理会社２１について説明し、同一の処理を行なう電力網管理会社２２については説明を省略する。
【００３０】
電力網管理会社２１は、システム管理会社１５から「送信情報」が送信されたか否かを判断する（Ｓ３０１）。すなわち、電力網管理会社２１の制御部３５は、図７のＳ２０４においてシステム管理会社１５から「送信情報」が送信されたか否かを監視する。電力網管理会社２１の制御部３５は、「送信情報」が送信されていないと判断すると（Ｓ３０１：Ｎｏ）、Ｓ３０１において「送信情報」が送信されるまで待機する。一方、電力網管理会社２１の制御部３５は、「送信情報」が送信されたと判断すると（Ｓ３０１：Ｙｅｓ）、通信部３６において「送信情報」を受信する（Ｓ３０２）。
電力網管理会社２１の制御部３５は、受信した「送信情報」を記憶部３７に記憶する（Ｓ３０３）。これにより、電力網管理会社２１の制御部３５は、システム管理会社１５から受信した「送信情報」を記憶部３７に記憶する。「送信情報」には、他の電力網管理会社２２における「電力逼迫情報」から作成された「広告情報」と、「価格情報」とが含まれている。
【００３１】
（４．車両における送信情報の受信）
システム管理会社１５から送信された「送信情報」を受信した車両１３における処理の流れを図９に基づいて説明する。
車両１３は、システム管理会社１５から「送信情報」が送信されたか否かを判断する（Ｓ４０１）。すなわち、車両１３の制御部５６は、図７のＳ２０５においてシステム管理会社１５から「送信情報」が送信されたか否かを監視する。車両１３の制御部５６は、「送信情報」が送信されていないと判断すると（Ｓ４０１：Ｎｏ）、Ｓ４０１において「送信情報」が送信されるまで待機する。一方、車両１３の制御部５６は、「送信情報」が送信されたと判断すると（Ｓ４０１：Ｙｅｓ）、通信部５４において「送信情報」を受信する（Ｓ４０２）。
【００３２】
車両１３の制御部５６は、受信した「送信情報」を記憶部５３に記憶する（Ｓ４０３）。これにより、車両１３の制御部５６は、システム管理会社１５から受信した「送信情報」を記憶部５３に記憶する。「送信情報」には、電力網管理会社２２における「電力逼迫情報」から作成された「広告情報」と、「価格情報」とが含まれる。
車両１３の制御部５６は、記憶部５３に記憶した「送信情報」に含まれる「広告情報」および「価格情報」に基づく画像を車両１３の表示部５５に表示する（Ｓ４０４）。すなわち、車両１３の制御部５６は、逼迫電力網である電力網１２において電力の供給余力が逼迫していることを示す「広告情報」、およびこの逼迫電力網における放電時の逼迫時買取価格を示す「価格情報」を表示部５５に可視的に表示する。
以上の手順によって、逼迫電力網である電力網１２を管理する電力網管理会社２２からシステム管理会社１５および車両１３への各種情報の送信が行なわれる。
【００３３】
＜逼迫電力網への放電＞
次に、逼迫電力網である電力網１２への放電時における車両１３、電力網管理会社２２およびシステム管理会社１５における処理の流れについて図１０および図１１を用いて説明する。
ここでは、車両１３のバッテリ５１から供給余力が逼迫している電力網１２へ電力を放電する際の処理の流れを説明する。
（１．車両と充放電装置との間の処理）
車両１３と逼迫電力網である電力網１２の充放電装置１９との間の処理を図１０に基づいて説明する。
車両１３のユーザは、図９のＳ４０２で受信した送信情報に基づいてＳ４０４で表示部５５に表示された画像を参考に、逼迫電力網である電力網１２へ移動する。すなわち、車両１３のユーザは、バッテリ５１における余剰の電力を放電する際、表示部５５に表示された価格情報、特に逼迫電力網である電力網１２における逼迫時買取価格を参考に電力網１２での放電を決定する。
【００３４】
車両１３が逼迫電力網である電力網１２において充放電装置１９に接続されると、車両１３の通信部５４は充放電装置１９へ放電要求を送信する（Ｓ５０１）。すなわち、車両１３の通信部５４は、充放電装置１９に接続された後、充放電装置１９へ放電要求を送信する。これとともに、車両１３の制御部５６は、記憶部５３に記憶されている「最新充電情報」を検索する（Ｓ５０２）。この「最新充電情報」は、車両１３が直近に充電した電力網に関する情報であり、車両１３で充電を実行するごとに更新されつつ記憶部５３に記憶されている。車両１３の制御部５６は、Ｓ５０２において記憶部５３から「最新充電情報」を検索すると、この「最新充電情報」を通信部５４を経由して充放電装置１９へ送信する（Ｓ５０３）。
【００３５】
充放電装置１９の制御部４４は、Ｓ５０１において車両１３の通信部５４から送信される放電要求を受信するまで待機する（Ｓ５１１）。充放電装置１９の制御部４４は、Ｓ５１１において車両１３から放電要求を受信すると（Ｓ５１１：Ｙｅｓ）、Ｓ５０３において車両１３の通信部５４から送信された「最新充電情報」を車両１３から取得する（Ｓ５１２）。充放電装置１９の制御部４４は、車両１３から取得した「最新充電情報」を記憶部４２に記憶する（Ｓ５１３）。
【００３６】
充放電装置１９において「最新充電情報」が記憶部４２に記憶されると、車両１３から充放電装置１９へ放電が実行される。すなわち、車両１３の制御部５６は、バッテリ５１に蓄えられている電力を充放電装置１９の充放電部４１へ放電する（Ｓ５０４）。また、充放電装置１９の充放電部４１は、車両１３のバッテリ５１から放電される電力を受け取る（Ｓ５１４）。車両１３の制御部５６は、予め設定された放電量の電力がバッテリ５１から電力網１２の充放電装置１９へ放電されたか否かを判断する（Ｓ５０５）。車両１３の制御部５６は、予め設定された放電量の電力がバッテリ５１から電力網１２へ放電されていないと判断したとき（Ｓ５０５：Ｎｏ）、Ｓ５０４へリターンし、設定された放電量に達するまで放電を継続する。充放電装置１９の制御部４４は、車両１３のバッテリ５１から電力網１２への放電が完了したか否かを判断する（Ｓ５１５）。充放電装置１９の制御部４４は、放電が完了していないと判断したとき（Ｓ５１５：Ｎｏ）、Ｓ５１４へリターンし、放電の受付を継続する。車両１３のバッテリ５１から電力網１２への放電量は、車両１３のユーザが任意に設定することができる。
【００３７】
充放電装置１９の制御部４４は、放電が完了したと判断したとき（Ｓ５１５：Ｙｅｓ）、逼迫時買取価格に応じて車両１３のユーザへ支払う「支払価格」を算出する（Ｓ５１６）。この「支払価格」は、逼迫時買取価格に、車両１３のバッテリ５１から電力網１２へ放電された放電電力量を乗ずることにより算出される。「支払価格」に見合う対価は、逼迫電力網である電力網１２を管理する電力網管理会社２２から車両１３のユーザへ支払われる。
【００３８】
充放電装置１９の制御部４４は、「支払価格」を含む「支払価格情報」を作成し、通信部４３から車両１３へ送信する（Ｓ５１７）。すなわち、充放電装置１９の制御部４４は、「支払価格情報」を電子レシートとして発行し、車両１３へ送信する。車両１３の制御部５６は、Ｓ５０５において、設定された放電量の電力が電力網１２へ放電されたと判断すると（Ｓ５０５：Ｙｅｓ）、Ｓ５１６において充放電装置１９から送信された「支払価格情報」を受信する（Ｓ５０６）。
【００３９】
車両１３の制御部５６は、受信した「支払価格情報」を記憶部５３に記憶するとともに（Ｓ５０７）、この「支払価格情報」に基づく可視的な画像を表示部５５に表示する（Ｓ５０８）。これにより、車両１３のユーザは、表示部５５に表示された画像から、「支払価格情報」に含まれる放電量、逼迫時買取価格、および電力網１２を管理する電力網管理会社２２から車両１３のユーザへ支払われる「支払価格」を確認することができる。
充放電装置１９の制御部４４は、Ｓ５１６において車両１３へ送信した「支払価格情報」を、車両１３だけでなく電力網管理会社２２へ「支払価格情報」と同一の情報を含む「電子納品票」として送信する（Ｓ５１８）。
【００４０】
（２．電力網管理会社とシステム管理会社との間の処理）
車両１３の放電時における電力網管理会社２２とシステム管理会社１５との間の処理を図１１に基づいて説明する。
電力網管理会社２２の制御部４５は、図１０のＳ５１８において充放電装置１９から送信される「電子納品票」を受信するまで待機する（Ｓ６０１）。電力網管理会社２２の制御部４５は、Ｓ６０１において充放電装置１９から「電子納品票」を受信すると（Ｓ６０１：Ｙｅｓ）、今回の放電における精算額を算出する（Ｓ６０２）。ここで精算額は、「支払価格」と同様に、逼迫時買取価格および放電電力量から算出される。なお、電力網管理会社２２は、Ｓ６０２で精算額を算出することなく、Ｓ５１６で算出した「支払価格」を用いてもよい。電力網管理会社２２の制御部４５は、車両１３から電力網１２への放電であるので、精算区分を「支払」として設定する（Ｓ６０３）。電力網管理会社２２の制御部４５は、Ｓ６０２で算出した精算額、およびＳ６０３で設定した設定区分を「精算書情報」として作成する（Ｓ６０４）。電力網管理会社２２の制御部４５は、作成した「精算書情報」をシステム管理会社１５へ送信する（Ｓ６０５）。
【００４１】
システム管理会社１５の制御部６３は、Ｓ６０５において電力網管理会社２２から送信される「精算書情報」を受信するまで待機する（Ｓ６１１）。システム管理会社１５の制御部６３は、Ｓ６１１において電力網管理会社２２から「精算書情報」を受信すると（Ｓ６１１：Ｙｅｓ）、受信した「精算書情報」を記憶部６１に保存する（Ｓ６１２）。
以上の手順により、車両１３から逼迫電力網である電力網１２への放電時における処理が行なわれる。
【００４２】
＜通常時における電力網への放電＞
非逼迫時である通常時における車両１３から電力網１２への放電は、実質的に上記の逼迫電力網である電力網１２への放電と同様の手順によって実行される。また、車両１３が電力網１１へ放電する際も同様である。すなわち、非逼迫時における電力網１１または電力網１２への放電は、電力網１１を管理する電力網管理会社２１の電力の買取価格、または電力網１２を管理する電力網管理会社２２の電力の買取価格が、逼迫時買取価格ではなく通常の買取価格である点が異なる。それ以外の手順および処理は、上述の逼迫電力網への放電と同様であるので説明を省略する。
【００４３】
＜電力網から車両への充電＞
次に、電力網１１から車両１３への充電時における車両１３、電力網管理会社２１およびシステム管理会社１５における処理の流れについて図１２および図１３を用いて説明する。
（１．車両と充放電装置との間の処理）
車両１３と電力網１１の充放電装置１８との間の処理を図１２に基づいて説明する。
車両１３のユーザは、車両１３のバッテリ５１の残量が低下すると、電力網１１の充放電装置１８へ移動してバッテリ５１の充電を実行する。この場合、充放電装置１８は、車両１３のユーザが売買契約している電力網１１に設けられている。なお、充放電装置１８は、ユーザが契約している電力網１１に接続されたユーザの自宅２３にあってもよい。さらに、車両１３のユーザは、売買契約している電力網１１とは異なる電力網１２に設けられた充放電装置１９で充電してもよい。ここでは、車両１３が電力網１１で放電する場合を説明する。
【００４４】
車両１３が電力網１１において充放電装置１８に接続されると、車両１３の通信部５４は充放電装置１８へ充電要求を送信する（Ｓ７０１）。すなわち、車両１３の通信部５４は、充放電装置１８に接続された後、充放電装置１８へ充電要求を送信する。充放電装置１８の制御部３４は、Ｓ７０１において車両１３の通信部５４から送信される充電要求を受信するまで待機する（Ｓ７１１）。充放電装置１８の制御部３４は、Ｓ７１１において車両１３から充電要求を受信すると（Ｓ７１１：Ｙｅｓ）、充放電部３１から車両１３のバッテリ５１へ充電を実行する。すなわち、充放電装置１８の制御部３４は、電力網１１から車両１３のバッテリ５１へ充電する（Ｓ７１２）。また、車両１３のバッテリ５１は、充放電装置１８から供給される電力を受け取る（Ｓ７０２）。
【００４５】
充放電装置１８の制御部３４は、予め設定された充電量の電力が電力網１１からバッテリ５１へ充電されたか否かを判断する（Ｓ７１３）。充放電装置１８の制御部３４は、予め設定された充電量の電力が電力網１１からバッテリ５１へ充電されていないと判断したとき（Ｓ７１３：Ｎｏ）、Ｓ７１２へリターンし、設定された充電量に達するまで充電を継続する。車両１３の制御部５６は、電力網１１からバッテリ５１への充電が完了したか否かを判断する（Ｓ７０３）。車両１３の制御部５６は、充電が完了していないと判断したとき（Ｓ７０３：Ｎｏ）、Ｓ７０２へリターンし、充電の受付を継続する。電力網１１からバッテリ５１への充電量は、車両１３のユーザが任意に設定することができる。
【００４６】
充放電装置１８の制御部３４は、充電が完了したと判断したとき（Ｓ７１３：Ｙｅｓ）、車両１３のユーザへ請求する「請求価格」を算出する（Ｓ７１４）。この「請求価格」は、１ｋＷｈあたりの売却価格に、電力網１１から車両１３のバッテリ５１へ充電された充電電力量を乗ずることにより算出される。「請求価格」に見合う対価は、車両１３のユーザから充放電装置１８が設けられている電力網１１を管理する電力網管理会社２１へ支払われる。
【００４７】
充放電装置１８の制御部３４は、「請求価格」を含む「請求価格情報」を作成し、通信部３３から車両１３へ送信する（Ｓ７１５）。すなわち、充放電装置１８の制御部３４は、「請求価格情報」を電子レシートとして発行し、車両１３へ送信する。車両１３の制御部５６は、Ｓ７０３において、設定された充電量の電力がバッテリ５１に充電されたと判断すると（Ｓ７０３：Ｙｅｓ）、Ｓ７１５において充放電装置１８から送信された「請求価格情報」を受信する（Ｓ７０４）。
【００４８】
車両１３の制御部３４は、受信した「請求価格情報」を記憶部５３に記憶するとともに（Ｓ７０５）、この「請求価格情報」に基づく可視的な画像を表示部５５に表示する（Ｓ７０６）。これにより、車両１３のユーザは、表示部５５に表示された画像から、「請求価格情報」に含まれる充電量、売却価格、および電力網１１を管理する電力網管理会社２１へ支払うべき「請求価格」を確認することができる。
充放電装置１８の制御部３４は、Ｓ７１６において車両１３へ送信した「請求価格情報」を、車両１３だけでなく電力網管理会社２１へ「請求価格情報」と同一の情報を含む「電子売上票」として送信する（Ｓ７１６）。また、車両１３の制御部５６は、「支払価格情報」を受信した後、充電を行なった充放電装置１８が設けられている電力網１１に関する情報を、「最新充電情報」として記憶部５３に記憶する（Ｓ７０７）。
【００４９】
（２．電力網管理会社とシステム管理会社との間の処理）
車両１３の充電時における電力網管理会社２１とシステム管理会社１５との間の処理を図１３に基づいて説明する。
電力網管理会社２１の制御部３５は、図１２のＳ７１６において充放電装置１８から送信される「電子売上票」を受信するまで待機する（Ｓ８０１）。電力網管理会社２１の制御部３５は、Ｓ８０１において充放電装置１８から「電子売上票」を受信すると（Ｓ８０１：Ｙｅｓ）、今回の充電における精算額を算出する（Ｓ８０２）。ここで精算額は、「請求価格」と同様に、売却価格および充電電力量から算出される。なお、電力網管理会社２１は、Ｓ８０２で精算額を算出することなく、Ｓ７１４で算出した「請求価格」を用いてもよい。電力網管理会社２１の制御部３５は、電力網１１から車両１３への充電であるので、精算区分を「請求」として設定する（Ｓ８０３）。電力網管理会社２１の制御部３５は、Ｓ８０２で算出した精算額、およびＳ８０３で設定した設定区分を「精算書情報」として作成する（Ｓ８０４）。電力網管理会社２１の制御部３５は、作成した「精算書情報」をシステム管理会社１５へ送信する（Ｓ８０５）。
システム管理会社１５の制御部６３は、Ｓ８０５において電力網管理会社２１から送信される「精算書情報」を受信するまで待機する（Ｓ８１１）。システム管理会社１５の制御部６３は、Ｓ８１１において電力網管理会社２１から「精算書情報」を受信すると（Ｓ８１１：Ｙｅｓ）、受信した「精算書情報」を記憶部６１に保存する（Ｓ８１２）。
【００５０】
＜精算処理＞
次に、車両１３のユーザ、電力網管理会社２１および電力網管理会社２２の精算における処理の流れについて図１４を用いて説明する。
車両１３のユーザは、一般的に自宅２３が所在する電力網１１を管理する電力網管理会社２１との間で電力の売買契約をしている。そのため、車両１３のユーザは、電力網１１を管理する電力網管理会社２１との間で充電または放電にともなう代金の支払を行なう。すなわち、車両１３が売買契約のある電力網管理会社２１とは異なる電力網管理会社２２が管理する逼迫電力網である電力網１２で放電する場合、車両１３のユーザは売買契約のある電力網管理会社２１ではなく、逼迫電力網を管理する電力網管理会社２２から逼迫時買取価格に応じた代金の支払を受けることとなり、ユーザの精算処理が煩雑化する。そこで、本実施形態では、逼迫電力網である電力網１２を管理する電力網管理会社２２は、予めユーザと売買契約のある電力網管理会社２１へ逼迫時買取価格に応じた代金を精算する。これにより、ユーザは、売買契約のある電力網管理会社２１との間でのみ代金の精算を行なうことができる。本実施形態の場合、電力網管理会社２１と電力網管理会社２２との間の精算に関する処理は、システム管理会社１５が行なう。
【００５１】
（１．システム管理会社の処理）
システム管理会社１５は、所定の精算日になると、売買契約のある車両１３のユーザごとに精算に関する処理を実行する。システム管理会社１５における処理を図１４に基づいて説明する。
システム管理会社１５の制御部６３は、電力網管理会社１２および電力網管理会社１３から送信された「電子納品票」および「電子売上票」を用いて、車両１３のユーザごとの精算金額を算出する（Ｓ９０１）。また、システム管理会社１５の制御部６３は、これら「電子納品票」および「電子売上票」から、車両１３のユーザが売買契約のある電力網管理会社２１と売買契約のない電力網管理会社２２との間で精算すべき精算金額を算出する（Ｓ９０２）。すなわち、車両１３は、電力網１１と電力網１２との間を移動しつつ、充電と放電とを繰り返す。そのため、車両１３のユーザとの間で売買契約がある電力網管理会社２１は、電力網管理会社２２との間でユーザの充電または放電に見合う金額の精算が必要となる。この電力網管理会社２１と電力網管理会社２２との間の精算には、逼迫時における逼迫時買取価格も含めて精算が行なわれる。
【００５２】
システム管理会社１５の制御部６３は、Ｓ９０１においてユーザごとの精算金額が算出されると、車両１３へ「決済情報」を送信する（Ｓ９０３）。この「決済情報」は、車両１３における充電における「請求価格」および通常の放電における「買取価格」に加え、逼迫時の放電における逼迫時買取価格を考慮した「支払価格」を含んでいる。
また、システム管理会社１５の制御部６３は、Ｓ９０３で車両１３へ送信した「決済情報」と、Ｓ９０２で算出した精算金額を電力網管理会社２１および電力網管理会社２２へ送信する（Ｓ９０４）。これにより、電力網管理会社２１は、車両１３のユーザへ請求すべき「決済情報」と、電力網管理会社２２との間で精算すべき精算金額を取得する。
【００５３】
車両１３のユーザは、Ｓ９０３においてシステム管理会社１５から送信された「決済情報」に基づいて、売買契約する電力網管理会社２１へ金銭の支払、または電力網管理会社２１から金銭の受取を行なう。車両１３の制御部５６は、Ｓ９０３においてシステム管理会社１５から送信された「決済情報」を記憶部５３に記憶する。車両１３のユーザは、この記憶部５３に記憶された「決済情報」に基づく画像を表示部５５に表示することにより、最終的な精算金額を確認することができる。また、車両１３のユーザは、この「決済情報」を、インターネットなどを通じてシステム管理会社１５から自宅２３のパーソナルコンピュータなどに取得することができる。これにより、ユーザは、車両１３だけでなく、自宅２３のパーソナルコンピュータでも「決済情報」を確認することができる。
【００５４】
以上説明した一実施形態では、システム管理会社１５は、逼迫電力網である電力網１２を管理する電力網管理会社２２から、供給余力が逼迫していることを示す電力逼迫情報に加え、逼迫時の電力の買取価格を示す価格情報を取得する。システム管理会社１５は、この電力逼迫情報および価格情報を取得すると、車両１３へ逼迫電力網で電力が逼迫していることを示す広告情報および価格情報を送信する。この広告情報および価格情報を受信した車両１３のユーザは、広告情報および価格情報を利用して逼迫電力網である電力網１２への電力の放電を検討する。車両１３の特性として、電力網１１と電力網１２との間を跨いで任意に移動可能である。そのため、車両１３のユーザには、複数の電力網のうち、供給余力の逼迫度が高く、買取価格の高い逼迫電力網へ車両１３を移動して、この逼迫電力網の充放電装置１９から電力を放電するという動機付けが作用する。すなわち、車両１３のユーザは、自分が属している電力網１１だけでなく、車両１３で移動可能な電力網１２も含めて放電する対象を選択する。これにより、車両１３のユーザにとっては、より買取価格が高い電力網へ放電するという動機が生じる。すなわち、より供給余力の逼迫度が高い電力網１２における放電が促される。また、電力網１２を管理する電力網管理会社２２としては、供給余力の逼迫度が高くなるほど逼迫時買取価格を高く設定することにより、車両１３のユーザによる放電が促される。そのため、発電所１６や送電線１７といった設備への整備や維持に関する投資は低減が図られる。したがって、車両１３から供給余力が逼迫している電力網１２への放電が促され、電力網を跨いだピークシフトへの貢献を促進することができる。
【００５５】
また、一実施形態では、システム管理会社１５は、車両１３から逼迫電力網への放電電力量および逼迫時買取価格から逼迫電力網から車両１３へ支払う支払価格を算出する。車両１３は、逼迫電力網に限らず、通常時も含めて複数の電力網１１および電力網１２との間で充電による電力の購入、および放電による電力の売却を行なっている。システム管理会社１５は、これらの電力の購入および売却に、逼迫時における支払価格を加えることにより、決済情報を作成して逼迫電力網を管理する電力網管理会社２２および車両１３へ送信する。したがって、逼迫電力網で放電した際の買取価格も含めて容易に精算することができる。
【００５６】
以上説明した本発明は、上記実施形態に限定されるものではなく、その要旨を逸脱しない範囲で種々の実施形態に適用可能である。
【符号の説明】
【００５７】
図面中、１０は電力融通システム、１１、１２は電力網、１３は車両、１４は管理サーバ、１８、１９は充放電装置、５１はバッテリ（蓄電手段）、６２は通信部（送信手段）、６４は情報取得部（情報取得手段）、６６は電力量取得部（電力量取得手段）を示す。
【図１】
2017118604.tif 000003
【図２】
2017118604.tif 000004
【図３】
2017118604.tif 000005
【図４】
2017118604.tif 000006
【図５】
2017118604.tif 000007
【図６】
2017118604.tif 000008
【図７】
2017118604.tif 000009
【図８】
2017118604.tif 000010
【図９】
2017118604.tif 000011
【図１０】
2017118604.tif 000012
【図１１】
2017118604.tif 000013
【図１２】
2017118604.tif 000014
【図１３】
2017118604.tif 000015
【図１４】
2017118604.tif 000016